(57)【要約】【課題】撮影レンズとレンズバリアとを有するカメラにおいて、レンズバリア駆動系に過大な負荷が作用せず、また、バリア駆動時の駆動力伝達損失も少ないカメラを提供する。【解決手段】カメラは、駆動モータにより駆動され、繰り出し、繰り込みを行なう撮影レンズ鏡筒と、バリア装置２とを有しており、バリア装置２は、退避位置と保護位置とに移動するレンズバリア３３と、上記撮影レンズ鏡筒の繰り出し、繰り込みに連動して、レンズバリア３３を駆動するために駆動モータの駆動力を受けるスライダ２７と、レンズバリア３３を駆動するバリアレバー２９とを備えており、バリアレバー２９は、退避位置に駆動するときは、スライダ２７から駆動力を受けてレンズバリア３３を駆動し、保護位置に駆動するときは、スライダ２７との間でチャージされたトーションバネ３１を介してレンズバリア３３を駆動する。【選択図】図２
2006154139.tif 000002
【特許請求の範囲】
【請求項１】
駆動源により駆動され、カメラ本体より繰り出し、及び、上記カメラ本体に繰り込みを行なう撮影レンズ鏡筒と、該撮影レンズ鏡筒の繰り出し、繰り込みに連動して、上記撮影レンズ鏡筒の前面より退避する退避位置と上記撮影レンズ鏡筒の前面に位置する保護位置とに移動するレンズバリアとを有するカメラにおいて、
上記レンズバリアを上記二つの位置に駆動するため、上記駆動源の駆動力を受ける第一の部材と、
付勢部材と、
上記レンズバリアを上記退避位置に駆動するときは、直接、上記第一の部材から駆動力を受けて上記レンズバリアを駆動し、上記レンズバリアを上記保護位置に駆動するときは、上記第一の部材との間にチャージされた状態で設けられた上記付勢部材を介して上記レンズバリアを駆動する第二の部材と、
を有したことを特徴とするカメラ。
【請求項２】
駆動源により駆動され、上記カメラ本体より繰り出し、及び、上記カメラ本体に繰り込みを行なう撮影レンズ鏡筒と、該撮影レンズ鏡筒の繰り出し、繰り込みに連動して、上記撮影レンズ鏡筒の前面より退避する退避位置と上記撮影レンズ鏡筒の前面に位置する保護位置とに移動するレンズバリアとを有するカメラにおいて、
上記レンズバリアを上記二つの位置に駆動するため、上記駆動源の駆動力を受ける第一の部材と、
上記第一の部材から上記駆動力を受けて上記レンズバリアを上記二つの位置に駆動する  第二の部材と、
上記レンズバリアを上記退避位置に駆動するときは、上記第一の部材と上記第二の部材とが一体的に上記レンズバリアを駆動するように上記第一の部材と上記第二の部材との間に懸架され、上記レンズバリアを上記保護位置に駆動するときは、付勢力を介して上記レンズバリアを駆動するように上記第一の部材と上記第二の部材との間に懸架された付勢部材と、
を有したことを特徴とするカメラ。
【請求項３】
上記駆動源の駆動力を上記第一の部材に伝達する部材は、上記撮影レンズ鏡筒の周りを回動する駆動リングであり、上記第一の部材は、直線運動を行い、上記第二の部材は該直線運動を回転運動に変換することを特徴とする請求項１、または、２に記載のカメラ。
【発明の詳細な説明】
【技術分野】
【０００１】
本発明は、駆動源により駆動される撮影レンズとレンズバリアとを有するカメラに関する。
【背景技術】
【０００２】
従来、カメラにおけるレンズバリア装置として特許文献１に開示された開示のものは、レンズバリア閉状態でレンズバリア（バリア部材）の表面がカメラ外装部材と同一面を形成するように構成されたバリア装置である。本装置では、バリアの摺動方向の一方をトグル機構を構成するリンク部材で支持し、他方をカムフォロアを介してカム溝で支持する機構を採用している。そして、バリア閉位置で上記カム溝とリンク部材によりバリアをカメラ外装部材の表面の位置まで持ち上げ、閉状態におけるレンズバリアの表面をカメラ外装部材の表面に合致させるようにしている。
【特許文献１】特許文献１は、特開２００２−７２２８８号公報である。
【発明の開示】
【発明が解決しようとする課題】
【０００３】
しかしながら、上述した特許文献１に開示のレンズバリア装置においては、レンズバリア開放動作にて上記リンクを横方向に移動させて上記バリアを引っ張りながらリンクを倒す必要がある。そのために上記バリアをカメラ外装に食い付かせる力が作用し、場合によっては、バリアの開放動作に支障をきたす可能性がある。また、上記バリアが前面側から押圧された場合、上記リンクが倒れ、バリアが凹む可能もある。さらに、上記レンズバリア装置では、バリアの周囲に上記カム溝とカムフォロアを配置するためのスペ−ス必要があって、カメラのコンパクト化に不利であった。
【０００４】
さらに、上記特許文献１のレンズバリア装置においては、レンズバリアに対して開放方向の外力が作用した場合、その力が直接的にバリア駆動ギヤに作用するので該バリア駆動ギヤまわりの駆動系を破損する可能性があった。また、上記開放方向の外力がレンズバリア閉駆動時に作用した場合、バリア駆動モータに過大な負荷が作用する。
【０００５】
本発明は、上述の問題を解決するためになされたものであり、駆動源により駆動される撮影レンズとレンズバリアとを有するカメラにおいて、レンズバリア駆動系に過大な負荷が作用せず、また、バリア駆動時の駆動力伝達損失も少ないカメラを提供することを目的とする。
【課題を解決するための手段】
【０００６】
本発明の請求項１に記載のカメラは、駆動源により駆動され、カメラ本体より繰り出し、及び、上記カメラ本体に繰り込みを行なう撮影レンズ鏡筒と、該撮影レンズ鏡筒の繰り出し、繰り込みに連動して、上記撮影レンズ鏡筒の前面より退避する退避位置と上記撮影レンズ鏡筒の前面に位置する保護位置とに移動するレンズバリアとを有するカメラにおいて、上記レンズバリアを上記二つの位置に駆動するため、上記駆動源の駆動力を受ける第一の部材と、付勢部材と、上記レンズバリアを上記退避位置に駆動するときは、直接、上記第一の部材から駆動力を受けて上記レンズバリアを駆動し、上記レンズバリアを上記保護位置に駆動するときは、上記第一の部材との間にチャージされた状態で設けられた上記付勢部材を介して上記レンズバリアを駆動する第二の部材とを有している。
【０００７】
本発明の請求項２に記載のカメラは、駆動源により駆動され、上記カメラ本体より繰り出し、及び、上記カメラ本体に繰り込みを行なう撮影レンズ鏡筒と、該撮影レンズ鏡筒の繰り出し、繰り込みに連動して、上記撮影レンズ鏡筒の前面より退避する退避位置と上記撮影レンズ鏡筒の前面に位置する保護位置とに移動するレンズバリアとを有するカメラにおいて、上記レンズバリアを上記二つの位置に駆動するため、上記駆動源の駆動力を受ける第一の部材と、上記第一の部材から上記駆動力を受けて上記レンズバリアを上記二つの位置に駆動する第二の部材と、上記レンズバリアを上記退避位置に駆動するときは、上記第一の部材と上記第二の部材とが一体的に上記レンズバリアを駆動するように上記第一の部材と上記第二の部材との間に懸架され、上記レンズバリアを上記保護位置に駆動するときは、付勢力を介して上記レンズバリアを駆動するように上記第一の部材と上記第二の部材との間に懸架された付勢部材とを有する。
【０００８】
本発明の請求項３に記載のカメラは、請求項１、または、２に記載のカメラにおいて、上記駆動源の駆動力を上記第一の部材に伝達する部材は、上記撮影レンズ鏡筒の周りを回動する駆動リングであり、上記第一の部材は、直線運動を行い、上記第二の部材は該直線運動を回転運動に変換する。
【発明の効果】
【０００９】
本発明によれば、駆動源により駆動される撮影レンズと該駆動源のより駆動され撮影レンズの前面部を開閉可能なレンズバリアを有するカメラにおいて、レンズバリア駆動系に過大な負荷が作用せず、また、バリア駆動時の駆動力伝達損失も少ないカメラを提供することができる。
【発明を実施するための最良の形態】
【００１０】
以下、図を用いて本発明の実施形態について説明する。  
図１は、本発明の一実施形態であるカメラのバリア閉、かつ、レンズ鏡筒沈胴の状態における光軸を含む横断面図である。図２〜５は、上記カメラの分解斜視図であり、図２は、前カバーおよびレンズバリア，バリア駆動部を含むバリア装置の分解斜視図、図３は、前本体，固定枠，駆動ユニットの分解斜視図、図４は、レンズ鏡筒の一部の分解斜視図、図５は、レンズ鏡筒の他の一部の分解斜視図である。図６は、上記バリア装置のバリアキャップを外した状態を前面側から見た斜視図である。図７は、上記バリア装置を背面側から見た斜視図である。図８は、上記バリア装置の正面図である。図９は、上記バリア装置の背面図である。図１０は、上記カメラのレンズバリア閉状態で前メタルカバーを外した状態の正面図である。図１１は、図１０の状態でさらにバリアキャップを外した状態での正面図である。図１２は、上記カメラのレンズバリア開状態で前メタルカバーを外した状態の正面図である。図１３は、図１２のＡ−Ａ断面図である。図１４は、上記バリア部の一動作状態を示す正面図であり、レンズバリアの閉方向の移動が外力で不用意に阻止されたときの状態を示す。
【００１１】
なお、以下の説明において、本実施形態のカメラの撮影レンズ光軸をＯとし、光軸Ｏと平行な方向をＺ方向とする。Ｚ方向の被写体側を前方側，結像側を後方側（背面側）とする。Ｚ方向に対して直交する左右方向をＸ方向とし、その左右方向は、被写体側（前方側）から見た方向で示す。回転方向は、被写体側から見た反時計回り、または、時計回り方向で示す。
【００１２】
本実施形態のカメラ１は、撮像素子としてＣＣＤを内蔵する沈胴およびズーム可能なレンズ鏡筒を有するバリア付き防水カメラであって、図１に示すように駆動ユニット４等の各カメラ内蔵部材が収納される枠部材（カメラ本体）としての、レンズ開口部５ａを有する前本体５と後本体６が配される。前本体５の前面部には、撮影レンズ開口窓部であるレンズ開口部７ａを有する外装部材としてアルミニウム合金などからなる前メタルカバー７が接着固着もしくはネジにより固定され、同じく後本体７の背面部には、ＬＣＤ表示窓を有する外装部材としてアルミニウム合金などからなる後メタルカバー９が接着固着もしくはネジにより固定される。さらに、前メタルカバー７と後メタルカバー９の間には、その周囲の一部に外装部材としてアルミニウム合金などからなる帯状の中メタルカバー８が配されている。また、前本体５の左端部には、開閉可能な外部端子／メモリカード蓋１１が配されている。
【００１３】
なお、前メタルカバー７のレンズ開口部７ａの周辺は、Ｘ方向の右方側がＺ方向後方に僅かに傾斜する傾斜面を形成しているものとする。
【００１４】
前本体５と後本体６の内部には、Ｘ方向右寄りの位置にズーミング，フォーカシングが可能であって、撮影不可能位置な収納位置である沈胴位置と、沈胴位置から繰り出された撮影可能位置との間のレンズ移動軌跡上を進退移動するレンズ駆動装置を含むレンズ鏡筒３と、該鏡筒３およびレンズバリアを含むバリア装置２を駆動するためのズーム駆動ユニット４が内蔵、保持される。さらに、該内部には、Ｘ方向左寄りの前方側から電気回路基板１２，１３と上記基板１３に実装される記録媒体スロット１４および電池収納室に収納される主電源用電池１７等が配され、レンズ鏡筒３の右側と前本体５の間の隙間にストロボ用メインコンデンサ１５が収納され、後本体６のＬＣＤ表示窓の内側にＬＣＤ１６が配されている。そして、前本体５と前メタルカバー７との間のスペースには、レンズバリア３３および該レンズバリア３３を駆動するためのバリア駆動部を含むバリア装置２が配されている。
【００１５】
なお、前本体５と後本体６の接合部は、レンズ鏡筒３の周囲を含めて防水構造を有している。そして、前本体５と後本体６との上記接合部には、凸，凹嵌合部が形成されており、該嵌合部に紐状パッキン１８が一周以上巻回されて挟持されており、該接合部のシールがなされている。但し、前本体５と前メタルカバー７の間は完全な防水構造を有してはおらず、前メタルカバー７内部にバリア装置２が収納されるが水滴が侵入しても特に問題となる部材は配されていない。
【００１６】
ズーム駆動ユニット４は、図３に示すように電動駆動源となる駆動モータ４１と、前本体５にビスによって固定支持されるギヤボックスに組み込まれ、かつ、駆動モータ４１によって駆動されるギヤ列、および、該ギヤ列によって駆動される第一の出力ギヤ４２および第一の出力ギヤ４２と連動駆動される第二の出力ギヤ４３とを有してなる。
【００１７】
第一の出力ギヤ４２は、レンズ鏡筒３の固定枠５１のギヤ室５１ｇに配されるロングギヤ状の鏡筒駆動ギヤ４４に噛合する。鏡筒駆動ギヤ４４は、後述するレンズ鏡筒３の回転移動枠５２の外周ギヤ部５２ａ（図４）に噛合し、該回転移動枠５２を回動駆動することによってレンズ鏡筒の各構成鏡枠部材（図４，５）の進退回転駆動を行う。
【００１８】
上記ギヤボックス内には、さらに、第二の出力ギヤ４３と噛合するバリア駆動ギヤ４５が回転可能に支持されて内蔵されている。バリア駆動ギヤ４５を介してバリア装置２が駆動される。なお、バリア駆動ギヤ４５は、嵌合角度が特定可能な非円形断面の出力軸端部４５ａを有し、バリア装置駆動用のピニオン２３と後述する回転軸部材２１を介して結合される。
【００１９】
駆動モータ４１により鏡筒駆動ギヤ４４と回転移動枠５２（図４）を介してレンズ鏡筒３の収納状態から撮影状態（または、その逆方向状態）までの回動進退駆動が行われ、かつ、バリア駆動ギヤ４５とピニオン２３，駆動リング２４（図２）を介してバリア装置２の開閉駆動を行われるが、回転移動枠５２と駆動リング２４とは、連動関係にある。
【００２０】
詳しくは、後述する図２２の固定枠／回転移動枠の動作状態の展開図や図２３の回転移動枠／直進枠／カム枠の動作状態の展開図を用いてあとで説明するが、カメラ１がバリア閉状態で、かつ、レンズ鏡筒３が沈胴状態にあるときの回転移動枠５２の初期回動位置（バリア閉／沈胴位置）をＰ0 として、駆動モータ４１を始動させて、回転移動枠５２が繰り出し準備（バリア開放）のための回転角θ0 だけ回動し、繰り出しを始めるバリア開／沈胴位置Ｐ1 に到達する（図２２の展開図）。その後、回転移動枠５２が上記レンズ鏡筒の繰り出し開始から終了まで回転角θ1 だけ回動すると、繰り出し終了回動位置（すなわち、ワイド位置）であるバリア開／沈胴位置Ｐ2 に到達する。さらに、回転移動枠５２を回転角θ2 （ズーム回転角）だけ回動させるとバリア開／ズーム位置（テレ）Ｐ3 に到達する。上述したレンズ鏡筒３の繰り出し準備、繰り出し、および、ズーム動作のためのトータルした回転角、すなはち、θ0 ＋θ1 ＋θ2 だけ回転移動枠５２は、駆動モータ４１により駆動されるが、その回転移動枠５２の回動に連動してバリア駆動ギヤ４５，ピニオン２３を介して駆動リング２４が回転角θ0 ＋θ1 ＋θ2 に対応する角度だけ回動駆動される。
【００２１】
バリア装置２は、前述したように図２に示す被駆動部としてのバリア部材であるレンズバリア３３と、被駆動部駆動手段（バリア駆動手段）としてのバリア駆動部とからなる。
【００２２】
レンズバリア３３は、その前面部にバリアキャップ３４が接着により固着される円板形状の樹脂成形部材であり、駆動モータ４１の駆動力により上記第二の出力ギヤ４３および上記バリア駆動部を介してＸ方向に沿ってスライド移動される。そのスライド移動位置は、撮影レンズ鏡筒３の撮影レンズである第一群レンズ７１を含む鏡枠（回転移動枠５２等）の前面に対向した光軸Ｏ上の対向位置であって、沈胴位置にある該撮影レンズを保護する保護位置（第一の位置）である閉位置、および、第一群レンズ７１および回転移動枠５２等の前面から退避した退避位置（第二の位置）である開位置である。さらに、後述するようにレンズバリア３３が上記保護位置に移動したときは、レンズバリア３３の左側がＺ方向前方に僅かに回動して持ち上がり、バリアキャップ３４が開口部７ａに嵌入し、前面が前メタルカバー７の開口部７ａまわりの前面部と同一面となるように移動する。
【００２３】
レンズバリア３３には、中央部に開口部３３ｂと、該開口部内に光軸Ｏを中心にしてＸ方向に突出する２つの突起部３３ｉと、該突起部の前面側にＸ方向に沿って設けられる切り欠きのある溝部３３ａと、突起部３３ｉの左側に設けられる穴部３３ｅの左方端部に配される斜面部３３ｄと、光軸Ｏより僅かに左側に寄った部分の上下離間した位置に左方に突出する２つの当接部３３ｃが設けられる。
【００２４】
バリアキャップ３４は、アルミニウム合金などの金属板製の部材であり、前メタルカバー７のレンズ開口部７ａに嵌合可能な形状の前面側円形突出部を有し、該突出部の周囲に沿ってフランジ部３４ｂが設けられる。
【００２５】
上記バリア駆動部は、図２に示すように外部伝達部材としての回転軸部材２１と、回転軸部材２１に結合される金属板製のピニオン２３と、ピニオン押さえ板２５と、前本体５に回動可能に保持され、駆動機構を構成するピニオン２３と噛合する駆動リング２４と、駆動リング押さえ板２６と、駆動リング２４と係合可能な第一の部材としてのスライダ２７と、スライダ押さえ板２８と、スライダ２７と連動し、回動する第二の部材としてのバリアレバー２９と、バリアレバー２９とスライダ２７とを相対的に互いに接近する方向に付勢する付勢手段であるトーションバネ３１と、バリアレバー２９によりスライド移動可能に支持される移動部材としての移動板３２と、移動板３２をＸ方向に沿ってスライドガイドするガイド軸３５とを有してなる。
【００２６】
回転軸部材２１は、Ｚ方向に沿って配される小円筒形状の軸部材であって、後方にバリア駆動ギヤ４５の出力軸端部４５ａと相対回転規制状態で嵌入するメクラ穴である嵌合軸穴部２１ｃが設けられ、外周部に形成される溝にはシール部材であるＯリング２２が装着されている。さらに、先端部には、ピニオン２３の軸穴に回転規制状態で嵌合する嵌合凸部２１ｂと先端軸部２１ａが設けられる。
【００２７】
回転軸部材２１は、図１３に部分断面図に示すように前本体５の左方に配された貫通部である段付き貫通穴５ｅにＯリング２２を周上で挟んだ状態で回転可能に嵌入し貫通した状態で支持される。回転軸部材２１の後方にはバリア駆動ギヤ４５の出力軸端部４５ａが嵌入され、さらに、前方にはピニオン２３とが共に相対回転規制規制状態で嵌合される。そして、ピニオン押さえ板２５がピニオン２３の前方への移動を規制した状態で軸穴部２５ａに回転軸部材２１の先端軸部２１ａを回転可能に嵌入させた状態でビスを前本体５のビス穴５ｍに螺着して前本体５に取り付けられる。
【００２８】
従って、Ｏリング２２によりシールされた状態で回転軸部材２１が回転可能に貫通した状態でバリア駆動ギヤ４５の回転が前本体５の外方に配されるピニオン２３に伝達される。
【００２９】
なお、上述のように前本体５の貫通穴５ｅが前本体５の外部とシールされることによって前述した本体接合部や他の接合部を含めて本体全外形面がシールされることになり、少なくとも前本体５と後本体６の内部は、防水された状態には保持される。なお、バリア装置２の構成部材が配される前本体５の前面と前メタルカバー７との間のスペ−スは防水された状態にはならないが、バリア装置２自体が特に防水を施す必要のない部材で構成されていることから特に問題にはならない。
【００３０】
駆動リング２４は、前本体５の光軸Ｏ中心のレンズ開口部５ａの周辺（周囲）に沿って配される駆動リング嵌合外周部５ｂに回動可能に嵌入する部材であり、外周の所定の角度範囲に設けられるギヤ部２４ａと、ギヤ部２４ａの対向側外周部に係合，解除手段である切り欠き部２４ｃと突起部２４ｄが設けられている。
【００３１】
ギヤ部２４ａは、ピニオン２３と噛合するが、上記ギヤ部２４ａの所定角度範囲は、ピニオン２３が駆動モータ４１による前述したレンズ鏡筒の回転移動枠５２の回転角度θ0 ，θ1 ，θ2 のトータル角度に相当する角度分の回転を許容する範囲だけ設けられる。
【００３２】
切り欠き部２４ｃには、後述するスライダ２７の従動ピン２７ｂが駆動リング２４の初期位置から時計回りの所定回動期間（回転移動枠５２の回転角度θ0に対応する回動角度）だけ係合し、それ以上の回動では、切り欠き部２４ｃから従動ピン２７ｂの係合が解除される。駆動リング２４の反時計回りの回動時には、逆に解除状態から係合状態に戻り、係合した状態で駆動リング２４が反時計回りに回動することになる。そして、上記従動ピン２７ｂの係合状態では、スライダ２７がＸ方向の左方、または、右方にスライド移動する。解除状態では、スライダ２７は左方移動位置に停止している。
【００３３】
駆動リング押さえ板２６は、凸部２６ａを前本体５の溝部５ｄに挿入してレンズ開口部５ａに周辺に取り付け、ビスで固着される。該押さえ板２６によって駆動リング２４は、駆動リング嵌合外周部５ｂにＺ方向に位置規制され、かつ、回動可能に支持される。また、該押さえ板２６にはガイド軸３５の軸押さえ突起２６ｂやアース接片２６ｄも設けられる。
【００３４】
駆動リング押さえ板２６のアース接片２６ｄは、カメラ組み立て状態で前メタルカバー７の内面に電気的に接触する。一方、前メタルカバー７，中メタルカバー８，後メタルカバー９は、互いに電気的に接続状態にあり、さらに、中メタルカバー８と内蔵電気回路基板のグランドラインとがビス結合されている。従って、カメラ１のすべての金属製外装部は、電気回路側のグランドラインに落ちるようになっている。また、駆動リング押さえ板２６の凸部２６ａの先端部は、レンズ鏡筒３の回転移動枠５２の外周の金属製キャップ６２が繰り出された状態で極めて接近する位置に配されている。従って、レンズ鏡筒３のキャップに生じる静電気は、レンズ鏡筒繰り出し時に凸部２６ａの先端部を介して放電される。
【００３５】
スライダ２７は、従動ピン２７ｂを駆動リング２４の切り欠き部２４ｃに嵌入係合させ、該ピンの先端部を前本体５のＸ方向のガイド溝５ｋに摺動可能に挿入させ、さらに、Ｘ方向のガイド溝２７ａを前本体５のボス部５ｈに摺動可能に嵌入させた状態で支持されて前本体５の前面下方部に取り付けられる。このスライダ２７のＸ方向左側には、駆動ピン２７ｃとバネ掛ケ部２７ｄとが設けられる。
【００３６】
スライダ押さえ板２８は、ビスを前本体５のボス部５ｈ上のビス穴５ｇと右方のビス穴５ｉに螺着して固定され、スライダ２７をスライド可能な状態でＺ方向を規制する。このスライダ押さえ板２８には、左方先端に突出する突起部２８ｂと中央部にＸ方向の長穴２８ｃが設けられる。突起部２８ｂは、スライダ２７の駆動ピン２７ｃがバリアレバー２９の後述するカム部２９ｂと当接したとき、駆動ピン２７ｃと当接し、駆動ピン２７ｃの下方向の分力を受ける。長穴２８ｃは、組み立て時のスライダ２７の操作用開口穴である。
【００３７】
バリアレバー２９は、軸穴２９ａを前本体５のボス部５ｍに駆動可能に嵌入させ、ビスをボス部５ｍのビス穴５ｊに螺着して装着される。このバリアレバー２９には、軸穴２９ａ近傍にカム部２９ｂと、バネ掛部２９ｄと、レバー端部に曲線状のガイド溝２９ｃとが設けられる。
【００３８】
バリアレバー２９のカム部２９ｂは、スライダ２７の駆動ピン２７ｃと当接していて、スライダ２７のＸ方向に従動してバリアレバー２９は、回動駆動される。ガイド溝２９ｃには、移動板３２の背面側に固着される頭付き連動ピン３６が摺動可能に嵌入する。
【００３９】
さらに、バリアレバー２９のバネ掛部２９ｄには、ボス部５ｍに挿入されたトーションバネ３１の一方のバネ端３１ｂが懸架される。バリアレバー２９が時計回りに付勢される。トーションバネ３１の他方のバネ端３１ａは、スライダ２７のバネ掛け部２７ｄに懸架される。トーションバネ３１は、スライダ２７をＸ方向左方にバリアレバー２９と接近する方向に、また、バリアレバー２９を時計回りに（スライダ２７の駆動ピン２７ｃとバリアレバー２９のカム部２９ｂとが当接する方向に）付勢するチャージ状態で組み込まれる。
【００４０】
ガイド軸３５は、Ｘ方向に沿った真直軸であり、一端が前本体５の左方の軸支部５ｆに支持され、他端がレンズ開口部５ａの上方に位置する軸支部５ｃで支持される。
【００４１】
移動板３２は、レンズバリア３３に対応する平面部をもつ、ステンレス鋼板等の金属板状の部材であり、その平面部がＺ方向の垂直面に沿って保持された状態で、２つの軸摺動支持部３２ａと１つの中央軸押さえ凸部３２ｂを挿通するガイド軸３５によってＸ方向にスライド可能に支持される。
【００４２】
この移動板３２には、その中央部に光軸Ｏを中心とする嵌合部である嵌合溝３２ｉが設けられ、嵌合溝上辺から左方方向にＵターンした形状の付勢部としての片持ち梁状のバネ部３２ｄが設けられ、バネ部３２ｄの先端には、上下凸のＴ状先端部３２ｅが設けられる。また、嵌合溝３２ｉの左側に傾斜した舌片部３２ｆが設けられ、光軸Ｏの左側の上下に前面側突起状の２つの凸部３２ｇが設けられる。凸部３２ｇの右側面部は傾斜面となっている。さらに、移動板３２の下端部に突出した当接摺動部３２ｈが設けられる。
【００４３】
移動板３２には、嵌合溝３２ｉをレンズバリア３３の突起部３３ｉにＸ方向に相対的に摺動可能、かつ、回転規制状態で嵌合してレンズバリア３３に取り付けられる。その取り付け状態では、移動板３２は、Ｔ状先端部３２ｅがレンズバリア３３の溝部３３ａに当接し、バネ部３２ｄの付勢力によりレンズバリア３３を常時、後方（Ｆ方向（図６））に押圧する。また、レンズバリア３３が閉位置にあるとき、舌片部３２ｆがレンズバリア３３の穴部３３ｅに挿通した状態で、かつ、凸部３２ｇの頂上部にレンズバリア３３の当接部３３ｃが当接する状態で位置する。
【００４４】
レンズバリア３３が開位置にあるときは、上記閉位置のときのレンズバリア３３と移動板３２の相対位置状態よりも移動板３２がレンズバリア３３に対して相対的にＸ方向左方に所定量スライド移動している。従って、舌片部３２ｆがレンズバリア３３の斜面部３３ｄに当接し、かつ、レンズバリア３３の当接部３３ｃがバネ部３２ｄの付勢力を受けて凸部３２ｇから降下したＸ方向右側の平面部上に接触し、レンズバリア３３が移動板３２側に密着した状態に保持される。
【００４５】
移動板３２の裏面部には、頭付き連動ピン３６に係合したバリアレバー２９が挿入されており、移動板３２にはバリアレバー２９によるＺ方向後方への付勢力が作用している。従って、移動板３２のＺ方向前方への浮き上がりが防止される。また、移動板３２のＺ方向後方へ変位（ずれ）は、移動板３２の上方はガイド軸３５で受け、下方は当接摺動部３２ｈがスライダ押さえ板２８の表面を摺接することで規制される。
【００４６】
上述した構成を有するバリア装置２の組み立て状態は、前面側、または、背面側から見た斜視図として図６，７に示される。
【００４７】
次に、バリア装置２の開閉動作について、図１，図８〜１２，図１４、さらに、図１５〜１８等を用いて説明する。  
図１５，１７，１８は、上記カメラの各動作状態における横断面図であり、図１５は、バリア閉、かつ、レンズ鏡筒沈胴の状態での光軸を含む横断面を示し、図１６は、バリア閉、かつ、レンズ鏡筒沈胴の状態におけるレンズバリア／移動板当接部分を含む面（光軸より下方の面）の横断面を示し、図１７は、バリア開でレンズ鏡筒沈胴の状態での光軸を含む横断面を示し、図１８は、バリア開でレンズ鏡筒テレの状態での光軸を含む横断面を示す。
【００４８】
カメラ１がバリア閉状態、かつ、レンズ鏡筒沈胴状態である初期状態（完全沈胴状態）にあって、駆動モータ４１を始動させるとレンズ鏡筒３の繰り出しは行われず、駆動モータ４１の駆動によりバリア装置２の開放駆動が行われる。該バリア装置の開放駆動が終了すると、レンズ鏡筒３の繰り出しが開始される。なお、レンズ鏡筒３の進退駆動については、後で詳細に説明する。
【００４９】
以下、バリア開閉動作について詳しく説明すると、レンズ鏡筒が完全沈胴状態にあって、駆動リング２４が上記初期位置にある状態は、図１〜３、または、図８〜１１に示すようにバリア装置２は閉状態にあって、レンズバリア３３は、撮影レンズ（レンズ鏡筒の回転移動枠５２等を含む）の前面を覆う閉位置にある。
【００５０】
このバリア閉状態においては、スライダ２７は、従動ピン２７ｂが駆動リング２４の切り欠き部２４ｃに係合した状態でＸ方向右端位置に保持されている。バリアレバー２９は、トーションバネ３１の付勢力によってスライダ２７に左端部に対して時計回りに回動付勢されており、連動ピン３６を介して移動板３２を右方（Ｘ方向）に移動させている（図１０，１１）。レンズバリア３３は、同様に右方向に移動した上記閉位置にある。レンズバリア３３に対して移動板３２が相対的に左側に移動していることから、レンズバリア３３は、バネ部３２ｄの付勢に抗して当接部３３ｃが移動板３２の凸部３２ｇ上に乗り上げた状態になっている（図１６）。
【００５１】
上述したレンズバリア３３が閉位置にあるとき、バリアキャップ３４を光軸Ｏ方向に押圧してもその押圧力はレンズバリア３３の当接部３３ｃの後面部が当接する凸部３２ｇで受けられるので、バリアキャップ３４，レンズバリア３３がカメラ側内方に沈み込むことはない（図１６）。一方、バリアキャップ３４が前メタルカバー７のレンズ開口部７ａに嵌り込み、バリアキャップ３４のフランジ部３４ｂが前メタルカバー７のレンズ開口部７ａの内面側に当て付き、バリアキャップ３４の前面が該レンズ開口部７ａまわりの前面と一致した状態に保持されている。
【００５２】
そこで、駆動モータ４１が正回転方向に回転すると、回転移動枠５２が初期回動位置（バリア閉／沈胴位置）Ｐ0 からバリア開／沈胴位置Ｐ1 に向けて回転を開始する（図２２）。その回転角θ0 の範囲では、あとで説明するように回転移動枠５２は、繰り出されることなく回動するのみであり、また、レンズ鏡筒３の移動枠５３（図４）等の他の繰り出し可能な鏡枠部材すべてが繰り出されることなく回転移動枠５２が回動する。そして、繰り出しを始める位置に達する。上述した回転移動枠５２の回動に連動して回転軸部材２１が回転駆動され、前本体５の外側にある駆動リング２４が最も反時計回りに回動した初期位置から時計回りに回動する。
【００５３】
駆動リング２４の上記時計回りの回動に伴って従動ピン２７ｂを介して係合関係にあるスライダ２７が左方（Ｘ方向）にスライド移動を開始し、駆動リング２４が回転移動枠５２の回転角θ0 に対応した連動回転角だけ回動すると、従動ピン２７ｂが駆動リング２４の切り欠き部２４ｃから外れて解放され、スライダ２７は、その左方移動端位置で停止する。
【００５４】
上述したスライダ２７の左方へのスライド移動によりバリアレバー２９は、トーションバネ３１のチャージ力で当接状態にあるスライダ２７の駆動ピン２７ｃとバリアレバー２９のカム部２９ｂとを介して押圧駆動され、反時計回りに回動する。その反時計回りの回動により移動板３２は、ガイド軸３５に沿って左方へのスライド移動する。移動板３２の左方への移動の初期において、図１に示すようにバリアキャップ３４は、まだ前メタルカバー７のレンズ開口部７ａに嵌入しているので移動せず、移動板３２のみが所定量左方に移動する。
【００５５】
従って、移動板３２のバネ部３２ｄの付勢力でレンズバリア３３の当接部３３ｃが押圧されているので、移動板３２の凸部３２ｇの右側面を滑ってレンズバリア３３が移動板３２の前面とが接触するようにＺ方向後方に降下する。同時にレンズバリア３３の斜面部３３ｄが移動板３２の舌部３２ｆと接触する。このレンズバリア３３の移動板３２に対するＺ方向後方への相対移動によりバリアキャップ３４のレンズ開口部７ａとの嵌合が解放され、以後、移動板３２とともにレンズバリア３３，バリアキャップ３４は、一体的に左方に開位置に向けてスライド移動する。そのとき、レンズバリア３３は、移動板３２のバネ部３２ｄで後方の移動板側に付勢され、かつ、斜面部３３ｄが舌部３２ｆの背面に接触しているので移動板３２から浮き上がることはなく、バリアキャップ３４は、前メタルカバー７の内方部を接触しない状態で左方に移動する（図１７）。
【００５６】
スライダ２７が上述した左方移動端位置に到達すると、レンズバリア３３およびバリアキャップ３４は、レンズ鏡筒３の移動軌跡外の位置、すなわち、前メタルカバー７のレンズ開口部７ａより退避した開位置、言い換えると撮影レンズの前面から退避した退避位置に位置する（図１２）。
【００５７】
上述した回転移動枠５２の回転角θ0 の回動後、駆動モータ４１がさらに回転駆動され、回転移動枠５２が反時計回りに回転角θ1 だけ回動すると、レンズ鏡筒３の回転移動枠５２および各進退可能な鏡枠部材の撮影可能な繰り出し位置への繰り出しが行われる。またさらに、回転移動枠５２が回転角θ2 の範囲で回動すると、各進退可能な鏡枠部材は、ワイド位置からテレ位置に進退移動する。上述した回転移動枠５２の回転角θ1 ，θ2 の範囲に対応して駆動リング２４も連動して時計回りに回動するが、その駆動リング２４の回動範囲では、スライダ２７の従動ピン２７ｂは、駆動リング２４の切り欠き部２４ｃから外れて、従動ピン２７ｂが駆動リング２４の外周部に当接した状態となる。このように従動ピン２７ｂが駆動リング２４の外周部に当接していることからスライダ２７は、上述した左方移動端位置に留まり、バリアレバー２９，移動板３２も停止し、レンズバリア３３とバリアキャップ３４も上記開位置に留まる。
【００５８】
レンズバリア３３が上記開位置にある状態では、最外周の回転移動枠５２をはじめ各進退可能な鏡枠部材がレンズバリア３３に干渉することなく、前メタルカバー７のレンズ開口部７ａを挿通して撮影可能位置へ繰り出される。
【００５９】
その後、カメラをレンズ鏡筒沈胴状態に戻し、レンズバリア３３を閉位置に移動させるには、まず、駆動モータ４１を逆転駆動し、回転移動枠５２をテレ位置から繰り込むため、回転角θ2 、続いて、回転角θ1 だけで時計回りに逆転回動駆動させる。その回転移動枠５２の逆移転駆動に連動して、駆動リング２４が対応した角度だけ反時計回りに回動駆動された時、スライダ２７の従動ピン２７ｂが凸部２４で押圧され、駆動リング２４の切り欠き部２４ｃに再度、係合する。
【００６０】
続いて、回転移動枠５２の時計回りの回転角θ0 に対応して駆動リング２４が反時計回りの回動されると、スライダ２７が右方向に移動に移動する。その移動時、スライダ２７の駆動ピン２７ｃとバリアレバー２９のカム部２９ｂとは、トーションバネ３１のチャージ力で当接した状態のままでバリアレバー２９が時計回りに回動する（つまり、トーションバネ３１のチャージ力でバリアレバー２９が従動して時計回りに回動する）。該回動により移動板３２，レンズバリア３３，バリアキャップ３４も共に右方向に移動する。
【００６１】
スライダ２７が右方向初期位置までスライド移動し、バリアキャップ３４の外径部の右端部３４ａが前メタルカバー７のレンズ開口部７ａの右端７a1に当接して、レンズバリア３３の右方向の移動は停止する。しかし、さらに移動板３２は所定量だけ右方向に移動する。そのとき、移動板３２に対して相対的に移動するレンズバリア３３の当接部３３ｃがバネ部３２ｄによるＺ方向後方への付勢力に抗して移動板３２の凸部３２ｇの右側方からその頂点部に乗り上げる。そこで、移動板３４は、レンズバリア３３の内面側右端段部に当接して停止する。
【００６２】
上記乗り上げ動作によりバリアキャップ３４の外径部が前メタルカバー７のレンズ開口部７ａに嵌入し、バリアキャップ３４の表面が前メタルカバー７の表面に一致した状態となり、バリア閉位置に戻される。
【００６３】
その後、駆動リング２４は、さらに僅かに反時計回りに回動し、スライダ２７のみをオーバーストロークさせてレンズバリア３３および移動板３２の上述したバリア閉位置への移動を確実に行わせて停止する。その停止状態では、トーションバネ３１は、僅かな量だけチャージされ、スライダ２７の駆動ピン２７ｃとバリアレバー２９のカム部２９ｂとの間が僅かに離間し、隙間が生じる。この時点で回転移動枠５２も上述した初期回動位置Ｐ0 に戻る。
【００６４】
なお、バリア装置２において、図１４に示すようにバリア閉動作中にレンズバリア３３の右側から外力Ｇが作用してバリアの閉動作が阻止された場合、レンズバリア３３によって移動板３２が左方に押圧され、バリアレバー２９がトーションバネ３１を撓ませながら反時計回りに回動移動する。このトーションバネ３１の撓みによって、外力Ｇが吸収され、バリア装置２の変形や駆動モータ４１のギヤ系等の破損を防ぐことができる。
【００６５】
上述したバリア装置２の開閉動作において、バリアレバー２９の反時計回りの回動中は、バリアレバー２９のカム部２９ｂをスライダ２７の駆動ピン２７ｃで押圧することによってバリアレバー２９を回動駆動し、一方、バリアレバー２９の時計回りの回動中は、バリアレバー２９のカム部２９ｂがスライダ２７の駆動ピン２７ｃに従動、あるいは、わずかに離間する状態でバリアレバ２９ーが回動することから、上記動作中、トーションバネ３１の開き角度α（図９）が大きく変動することがない。言い換えると、トーションバネのチャージ状態がほとんど変化しない。したがって、駆動モータ４１のバリア装置２の駆動のための消費エネルギは、駆動付勢用バネ部材のチャージ量の変化の大きい従来のバリア駆動装置に対してきわめて少なくなる。
【００６６】
次に、レンズ鏡筒３の構成について、図１や図４，５の該レンズ鏡筒の分解斜視図を用いて説明する。
【００６７】
レンズ鏡筒３は、前本体５に固定支持される第一の枠である固定枠５１と、回転および進退移動が可能な第二の枠である回転移動枠５２と、回転が規制され、カム枠５５とともに直進移動が可能な移動枠５３と、回転が規制され、直進移動が可能な枠部材であり、カム枠５５により進退駆動される第一群枠５４と、回転および進退移動が可能な枠部材であり、直進枠５８によって進退駆動される第四の枠であるカム枠５５と、撮影レンズである第一群レンズ７１を保持する第一群レンズ保持枠７２を進退可能に支持し、第一群枠５４に固着支持されるフォーカス枠５６と、回転が規制され、進退駆動される枠部材であって、撮影レンズである第二群レンズ７３を保持する第二群レンズ保持枠７４を保持し、カム枠５５によって進退駆動される第２群枠５７と、回転が規制され、直進移動が可能な枠部材であり、回転移動枠５２とともに進退移動する第三の枠である直進枠５８と、第２群枠５７を直進ガイドする可動枠部材であるキーリング５９と、キーリング５９に貼付され、絞り装置を形成する絞り部材としてのフレア絞り６０および直進枠５８に貼付されるフレア絞り６９（図１８，１９）と、固定枠５１に固定支持されるＣＣＤ支持枠６１とを有してなる。
【００６８】
固定枠３１は、円筒形状の枠部材であり、その内周部に回転移動制御手段として第二の領域に配されるヘリイコイドネジ（雌）５１ｂと、第一の領域の端部に配されるヘリコイドネジ側面部５１ａと、ヘリコイドネジ５１ｂの前端側周方向に沿った円周挿通部５１ｉと、該円周挿通部と連通する３本の傾斜ガイド溝５１ｃと、該連通ガイド溝に連通する周方向に沿った第三の領域に配される３つの円周ガイド溝５１ｄとが設けられ、さらに、後端面開口部をもつ３本の直進ガイド溝５１ｅが設けられる。
【００６９】
また、固定枠５１の外方の一部に内周部に開口するギヤ室５１ｇと、その前方部に軸支穴５１ｈが設けられる。このギヤ室５１ｇには、軸部４４ａを軸支穴５１ｈに嵌入させ、他方の軸部４４ｂをＣＣＤ支持枠６１の軸支穴６１ｃに嵌入させた状態で鏡筒駆動ギヤ４４が回転可能に支持され、収納される。
【００７０】
固定枠３１の前端面外周部には防水用のＶ字断面を有する防水用シールリング６５が固着される。固定枠３１が前本体５に固定されるとき、防水用シールリング６５の外周部が前本体５の固定枠装着内周面に圧接される。
【００７１】
回転移動枠５２は、円筒形状の枠部材であり、その外周後方部の周上の一部分に平歯状の外周ギヤ部５２ａと、該外周上の他の部分に回転移動制御手段としてヘリコイドネジ（雄）５２ｂと、ギヤ部５２ａおよびヘリコイドネジ５２ｂに対してＺ方向前方側に離間して配される回転移動制御手段として３つの凸部５２ｃが設けられる。また、回転移動枠５２の内周後方部には、周方向に沿い、後方開口部をもつカム枠駆動手段であるバヨネット機構用の円周溝５２ｄと、該円周溝に対してＺ方向に所定距離離間した周上に後方開口部をもつバヨネット機構用の円周溝５２ｅと、後方開口部をもち、円周溝５２ｄに連続（連通状態）するカム枠駆動手段である２本の直進溝５２ｆと、円周溝５２ｄに連続（連通状態）し、かつ、円周溝５２ｅに交差しているＺ方向に沿ったカム枠駆動手段である１本の直進溝５２ｇとを有している（図２３）。円周溝５２ｄが直進溝５２ｇと連続する部分、言い換えると、連通する部分の時計回り方向溝壁面部５２ｈが設けられる（図２３）。
【００７２】
回転移動枠５２の外周部には、金属製キャップ６２が嵌入され、接着される。また、回転移動枠５２の内周先端部には、Ｖ字断面の防水用シールリング６６が接着固定される。
【００７３】
移動枠５３は、円筒形状の枠部材であり、その外周後方部に直進ガイド凸部５３ａが設けられ、内周後方部に円周溝５３ｂと、直進ガイド溝５３ｄとが設けられる。
【００７４】
移動枠５３の外周部には、金属製キャップ６３が嵌入され、接着される。また、移動枠５３の内周先端部には、Ｖ字断面の防水用シールリング６７が接着固定される。
【００７５】
第一群枠５４は、レンズ開口部を有する前方円環部が形成された円筒形状の枠部材であり、その外周後方部に直進ガイド凸部５４ｄが設けられ、内周後方部のピン穴５４ｅにカムフォロア５４ｃが固着される。第一群枠５４の円環部の内側にはフォーカス枠５６が上記円環部に設けられるビス挿通穴５４ｂを挿通したビスをビス穴５６ａに螺着して固定される。
【００７６】
フォーカス枠５６は、フォーカスモータ７０を含むフォーカシング駆動機構を内蔵し、また、上記フォーカシング駆動機構によって進退駆動される枠部材であって、第一群レンズ７１を保持する第一群レンズ保持枠７２を進退可能に支持している。
【００７７】
第一群枠５４の外周部には金属製キャップ６４が嵌入され、接着され、上記前方円環部に飾り板６８が接着固定される。
【００７８】
カム枠５５は、円筒形状の枠部材であって、後方の段状外周部に光軸Ｏ方向に傾斜した側面および周方向に平行な側面を有する略平行四辺形断面をもつ、カム枠（第四の枠）回転制御手段である３つのカムフォロア５５ａと、カムフォロア５５ａの中心部に外方に突出する丸ピン状のカム枠駆動手段である３つのピン状カムフォロア５５b0，５５b1とが設けられる。上記段状外周部の前方にその先端部が上記段状外周部より低い、周方向に沿った３つのガイド凸部５５ｃが設けられる。前方外周部には、カム手段であるカム溝５５ｄが設けられ、内周後方部に円周溝５５ｅと内周部にカム手段であるカム溝５５ｆが設けられる。
【００７９】
フォーカス枠５６は、円形開口部を有する枠部材であって、上記円形開口部に第一群レンズ７１を保持する第一群レンズ保持枠７２が光軸Ｏ方向に進退可能な状態で挿入されている。また、フォーカス枠には、ステップモータからなるフォーカスモータ７０が装着されており、フォーカス駆動時に第一群レンズ保持枠７２を進退駆動する。
【００８０】
第二群枠５７は、内部に第二群レンズ７３を保持する第二群レンズ保持枠７４が組み込まれる枠部材であり、シャッタアクチュエータを含むシャッタ機構部およびフィルタアクチュエータを含むＮＤフィルタ機構部を内蔵している。この第二群枠５７には、外方に突出するカムフォロア５７ｂと、両側部にＺ方向に延びる直進溝５７ａとが設けられる。
【００８１】
キーリング５９は、リング形状の枠部材であって、移動方向（光軸Ｏ方向）に直交する平面上に中央開口部（内周部）５９ｅと外周部５９ａとを有し、外周部５９ａから外方に突出する３つの直進ガイド凸部５９ｂと、開口部５９ｅからＺ方向前方に延びる真直状の２本のキー部５９ｃとが設けられる。
【００８２】
フレア絞り６０は、ポリエステル材等のシート材からなる中央開口部６０ａをもつ変形可能な薄板リング形状の絞り部材であり、径方向に沿った切り込み６０ｂおよび周方向に沿った切り込み６０ｃを有している。このフレア絞り６０は、外周３カ所に凹状取り付け部６０ｄをキーリング５９の背面側３箇所のフレア絞り装着部５９ｄに接着して固定される。フレア絞り６０の面は、キーリング５９の背面側への装着状態でキーリング５９の移動方向（光軸Ｏ方向）と直交する平面である。
【００８３】
キーリング５９に取り付けられたフレア絞り６０は、後述するように中央開口部６０ａの周辺がＺ方向の前方、または、後方に他の枠部材で押圧された場合、切り込み６０ｂや６０ｃにて弾性変形することによって中央開口部６０ａ周辺が押圧方向に倣って変位し、キーリング５９の中央開口部５７ｅ中を前方に通り抜けたり、あるいは、他の相対移動する枠部材の中央凸状部で中央開口部６０ａ周辺を押して後方に移動させることも可能である。
【００８４】
直進枠５８は、円筒形状の枠部材であって、後端フランジ部には外周に突出する直進ガイド凸部５８ａが設けられ、後端フランジ外周部寄りの円筒部には、径方向および周方向に沿って延びた５つのバヨネット爪となる凸部５８ｂが設けられ、さらに、凸部５８ｂの周方向位置からＺ方向の所定距離離れた位置に径方向および周方向に沿って延びた１つのバヨネット爪となる凸部５８ｃが設けられる。
【００８５】
なお、５つの凸部５８ｂと１つの凸部５８ｃとは、必要に応じて円周上の要所に分散して配置されており、回転移動枠５２や直進枠５８にスラスト力が作用した場合に直進枠５８、あるいは、回転移動枠５２の変形や傾きが防止され、あるいは、破損が防止される。
【００８６】
また、直進枠５８の後端面には、シート部材からなるフレア絞り６９が貼付されている。このフレア絞り６９は、フレア絞り６０と異なり、レンズ鏡筒３の進退動作時、変形することはない。
【００８７】
直進枠５８の円筒部には、内外周を貫通する溝であって、レンズ駆動用円周カム手段であって、カム枠（第四の枠）空転領域を与える円周溝部５８ｅ、および、繰り出しカム手段であって、カム枠（第四の枠）駆動領域を与える傾斜カム溝５８ｆとからなるカム枠（第四の枠）回転制御手段である３本のカム溝５８ｄが設けられる。内周部には、後方に開口する３つの直進ガイド溝５８ｈと 、前方に開口する３本の直進ガイド溝５８ｇとが設けられる。
【００８８】
ＣＣＤ支持枠６１は、撮像素子であるＣＣＤ８２および光学フィルタ８１を保持するＣＣＤ支持板が固着され、ＣＣＤ８２および光学フィルタ８１の前方に配されるＣＣＤ開口部６１ａと固定枠５１の後方内周部に嵌合する嵌合部６１ｂを有している。
【００８９】
次に、上述したレンズ鏡筒３の各構成部材の組み付け、嵌合状態について説明する。  
なお、表１は、レンズ鏡筒３の組み付け状態において、各構成部材が互いに係合、または、嵌合する関係にある対応部分を示したものであり、表中、（）内符号は、図４および５の（）中に記載された符号であり、各構成部材間で互いに係合／嵌合する部分を同一符号で示すものである。
【表１】
2006154139.tif 000003
【００９０】
まず、直進枠５８には、カム枠５５、第一群枠５４，第二群枠５７，キーリング５９，移動枠５３が組み付け嵌合される。
【００９１】
詳しくは、第一群枠５４は、カム枠５５の外周部に相対回転，進退が可能な状態でカムフォロア５４ｃをカム枠５５のカム溝５５ｄに摺動可能に嵌め込んだ状態で嵌入する。第一群枠５４に固着されているフォーカス枠５６は、カム枠５５の内周部に挿入される。第二群枠５７は、カムフォロア５７ｂをカム溝５５ｆに摺動可能に嵌め込んだ状態でカム枠５５の内周部に相対回動，進退可能に嵌入する。
【００９２】
キーリング５９は、カム枠５５の後方からその内周部に挿入され、外周部５９ａをカム枠５５の内周の円周溝５５ｅに回転可能な状態で嵌入し、さらに、キー部５９ｃは第二群枠５７の直進溝５７ａに摺動可能に嵌入する。
【００９３】
カム枠５５は、直進枠５８の内周に後方からカム枠５５の上記段状外周部を嵌合させて相対回動，進退可能な状態で嵌入する。そして、カム枠５５のカムフォロア５５ａは、カム溝５８ｄに摺動可能に嵌入する。
【００９４】
移動枠５３は、第一群枠５４の前方から直進ガイド溝５３ｄに第一群枠５４の直進ガイド凸部５４ｄを摺動可能に嵌入させた状態で相対的に進退可能に嵌合し、さらに、移動枠５３の円周溝５３ｂにカム枠５５のガイド凸部５５ｃが摺動可能に嵌入する。そして、移動枠５３の直進ガイド凸部５３ａは、直進枠５８の直進ガイド溝５８ｇに摺動可能に嵌入する。直進枠５８の直進ガイド溝５８ｈには、キーリング５９の直進ガイド凸部５９ｂが摺動可能に嵌入させる。したがって、キーリング５９は、直進枠５８に対して回動が規制され、進退可能な状態で支持される。
【００９５】
カム枠５５等が組み付けられ、挿入された直進枠５８は、回転移動枠５２の内周に後方から挿入され、直進枠５８の凸部５８ｂを円周溝５２ｄに、凸部５８ｃを円周溝５２ｅにそれぞれ摺動可能に嵌入させた状態で回転移動枠５２に相対的に回動可能に、かつ、Ｚ方向（光軸Ｏ方向）には一体的移動可能に嵌合する。その嵌合状態でカム枠５５の２つのピン状カムフォロア５５b0は、まず、回転移動枠５２の円周溝５２ｄに摺動可能に嵌入し、さらに、回転移動枠５２の相対回転によって直進溝５２ｆ側に進入可能となる。また、カム枠５５の１つのピン状カムフォロア５５b1は、まず、回転移動枠５２の円周溝５２ｄに摺動可能に嵌入し、回転移動枠５２の相対回転によって直進溝５２ｇ側に進入可能な状態で嵌合する。
【００９６】
直進枠５８等が組み付けられた回転移動枠５２は、固定枠３１の内周にヘリコイドネジ５２ｂとヘリコイドネジ５１ｂを螺合させた状態で回動，進退可能に嵌入する。また、回転移動枠５２の凸部５２ｃは、固定枠５１の傾斜ガイド溝５１ｃおよび円周ガイド溝５１ｄに摺動可能に嵌合する。さらに、固定枠５１の直進ガイド溝５１ｅに直進枠５８の直進ガイド凸部５８ａが摺動可能に嵌入する。
【００９７】
そして、回転移動枠５２のギヤ部５２ａには鏡筒駆動ギヤ４４が噛合し、回転移動枠５２が鏡筒駆動ギヤ４４によって回動駆動される。
【００９８】
回転移動枠５２等が組み込まれた固定枠５１の後方内周部５１ｆには、光学フィルタ８１，ＣＣＤ８２が装着されたＣＣＤ支持板６１が嵌合内周部６１ｂを嵌入させて固着される。
【００９９】
なお、レンズ鏡筒３のまわりの防水構造としては、固定枠５１と前本体５との間の接合部、および、固定枠５１と回転移動枠５２のキャップ６２との間の摺動部は、固定枠５１の先端に固着される防水用シールリング６５によって防水シールがなされ、回転移動枠５２の内周部と移動枠５３のキャップ６３との間の摺動部は、回転移動枠５２の先端に固着される防水用シールリング６６によって防水シールがなされ、さらに、移動枠５３の内周部と第一群枠５４のキャップ６４との間の摺動部は、移動枠５３の先端に固着される防水用シールリング６７によって防水シールがなされ、レンズ鏡筒３と固定枠５１の間が防水状態となる。
【０１００】
上述したレンズ鏡筒３において、回転移動枠５２は、鏡筒駆動ギヤ４４によて回転駆動された場合、固定枠５１に対してバリア駆動するための初期の期間に所定の角度だけ進退することなく回動後、ヘリコイドネジ５１ｂによって繰り出され、繰り出された位置で回動する。この回転移動枠５２の回動によって、以下のように各鏡枠の進退、または、回動が行われる。
【０１０１】
直進枠５８は、固定枠５１によって直進ガイド溝５１ｅによって回転規制された状態で回転移動枠５２とともに直進進退移動する。移動枠５３は、直進ガイド溝５８ｇによって回転規制された状態で、回転、かつ、進退移動するカム枠５５のガイド凸部５５ｃを介してその進退移動と一体の状態で進退する。
【０１０２】
カム枠５５は、回転移動枠５２が上記初期の所定角度回動する間、不動状態であるが、その後、回転移動枠５２が回動すると直進枠５８のカム溝５８ｄによって回転しながら進退移動する。第一群枠５４は、移動枠５３の直進ガイド溝５３ｄによって回転規制された状態でフォーカス枠５６と一体にカム枠５５のカム溝５５ｄにより進退駆動される。第二群枠５７は、直進枠５８の直進ガイド溝で回動規制され，かつ、直進枠５８と一体に進退するキーリング５９によって回動が規制され、カム枠５５のカム溝５５ｆによって進退駆動される。
【０１０３】
ここで、レンズ鏡筒３の鏡枠進退動作時におけるフレア絞り６０の変形状態について、図１，図１９〜図２１を用いて説明する。  
なお、図１９は、上記カメラのレンズ鏡筒のワイド状態における光軸を含む縦断面図である。図２０，２１は、上記レンズ鏡筒に適用されるキーリング５９とフレア絞り６０の斜視図であり、図２０は、上記フレア絞りの中央開口部周辺が前方に押し出された状態を示し、図２１は、上記フレア絞りの中央開口部周辺が後方に押し出された状態を示す。
【０１０４】
カム枠５５の後方部に嵌入されているキーリング５９の背面部にはフレア絞り６０が貼り付けられている。図１に示すようにレンズ鏡筒３が沈胴状態にあるときは、キーリング５９の開口部５９ｅ内方にＣＣＤ支持枠６１の開口部６１ａ周辺の凸部が進入している。そのとき、フレア絞り６０は、図２０に示すようにフレア絞り６０の切り込み部６０ｂが変形し、同時に周方向に切り込まれた切り込み部６０ｃによって形成される梁状部６０ｅ，６０ｆも変形してフレア絞り開口部６０ａの周辺が前方に変位してキーリング５９の開口部５９ｅを通り抜け可能であることから、上述したＣＣＤ支持枠６１の開口部６１ａ周辺の凸部がキーリング５９の開口部５９ｅへの進入が可能となる。
【０１０５】
また、図１９に示すようにレンズ鏡筒３がワイド状態にあるときは、キーリング５９よりも後方に第二群枠５７の後端面が出る状態になる。その状態でフレア絞り６０は、図２１に示すようにフレア絞り６０の切り込み部６０ｂが変形し、同時に切り込み部６０ｃによって形成される梁状部６０ｅ，６０ｆも変形してフレア絞りの中央開口部６０ａの周辺が後方に変位する。この変位のより前述したようにキーリング５９の開口部５９ｅより後方に第二群枠５７の後端面が出る状態を許容する。
【０１０６】
次に、カメラ１における上述した構成を有するレンズ鏡筒３の進退動作をバリア装置２の開閉動作に合わせて図１，図１５〜１９，図２２〜２４等を用いて説明する。  
図２２（Ａ），（Ｂ），（Ｃ）は、上記レンズ鏡筒の固定枠の内周面と鏡筒駆動ギヤとの展開図に上記回転移動枠の外周ギヤ部，ヘリコイドネジ（雄），凸部の部分展開図を重ねて示す内周側から見た作動状態展開図であり、図２２（Ａ）は、上記カメラがバリア閉、レンズ鏡筒沈胴状態にある駆動初期時のレンズ鏡筒の状態を示し、図２２（Ｂ）は、上記カメラがバリア開、レンズ鏡筒沈胴状態、および、レンズ鏡筒繰り出し状態（ワイド状態）にある時のレンズ鏡筒の状態を示し、図２２（Ｃ）は、上記カメラがレンズ鏡筒ワイド状態からテレ状態に変化した時のレンズ鏡筒の状態を示す。図２３は、上記レンズ鏡筒の回転移動枠の内周部の展開図にカム枠のカムフォロアおよび直進枠のカム溝を重ねて示す内周側から見た作動状態展開図であって、バリア閉／沈胴状態からバリア開／沈胴状態、バリア開／繰り出し初期状態、バリア開／繰り出し終了状態、さらに、バリア開／ズーム状態（テレ状態）を示す図である。図２４は、上記レンズ鏡筒のカム枠のカムフォロアおよびカム溝を外周から見た展開図である。
【０１０７】
カメラ１を図１，１５に示すバリア閉、かつ、レンズ鏡筒沈胴状態から沈胴状態を維持してバリア開状態にするには、駆動モータ４１を正転駆動し、鏡筒駆動ギヤ４４を介して回転移動枠５２を初期位置（バリア閉／沈胴状態位置）Ｐ0 から反時計回りに角度θ0 （第一の領域）だけ回転させる（図４のＤ1 方向回動）。そのとき、駆動リング２４も回転移動枠５２の角度θ0 に対応する角度だけ連動して駆動され（図２のＤ3 方向回動）、前述したようにバリア装置２のレンズバリア３３が図１，１５に示す閉位置（保護位置）から図１７に示す開位置（退避位置）に移動する。
【０１０８】
レンズ鏡筒３側は、図２２（Ａ）の初期位置Ｐ0 にあって固定枠５１のヘリコイドネジ（雌）５１ｂと非螺合状態にある回転移動枠５２が反時計回りに角度θ0 （第一の領域）だけ回動して図２２（Ｂ）に示すバリア開／沈胴状態位置Ｐ1 に達すると、ヘリコイドネジ（雄）５２ｂがヘリコイドネジ（雌）端面５１ａに接触する状態となる。上記角度θ0 の回動範囲では、ヘリコイドネジ５２ｂがまだ螺合状態にないので回転移動枠５２の光軸Ｏ方向の繰り出しはなされない（沈胴位置のまま）。
【０１０９】
一方、回転移動枠５２が初期位置Ｐ0 にあるとき、直進枠５８の５つの凸部５８ｂと１つの凸部５８ｃが常時、摺動可能に嵌入している回転移動枠５２の円周溝５２ｄおよび５２ｅには、さらに、カム枠５５のピン状カムフォロア５５b0，５５b1がそれぞれ嵌入している（図２３の回転移動枠５２（Ｐ0 ）の状態）。そこで、回転移動枠５２が角度θ0 だけ回動すると（位置Ｐ1 まで回動）、ピン状カムフォロア５５b0の方は、円周溝５２ｄ上を相対移動して回転移動枠５２の直進溝５２ｆと光軸方向において対向する状態となる。一方、ピン状カムフォロア５５b1方は、円周溝５２ｄを相対的に移動し、円周溝５２ｄの溝壁面５２ｈに接触し、該壁面に連なる回転移動枠５２の直進溝５２ｇと光軸方向において対向する状態となる（図２３の回転移動枠５２（Ｐ1 ）の状態）。
【０１１０】
上述した回転移動枠５２が角度θ0だけ回動するとき、カム枠５５のピン状カムフォロア５５b0，５５b1は、円周溝５２ｄ上にあるのでカム枠５５の光軸Ｏ方向の移動はない。また、カム枠５５の直進枠５８に対する回動もなされないので、カム枠５５のカムフォロア５５ａは、直進枠５８のカム溝５８ｄの傾斜カム溝５８ｆの後方端部に止まっている。従って、直進枠５８の光軸Ｏ方向の移動もなく、第一群枠５４の進退移動もない。言い換えると、レンズ鏡筒３の全鏡枠部材の光軸Ｏ方向の繰り出しがなされず、沈胴位置に留まり、レンズバリア３３の繰り出し動作には支障がない。
【０１１１】
続いて、回転移動枠５２がバリア開／沈胴状態位置Ｐ1 から反時計回りにバリア開／繰り出し終了位置Ｐ2 に向けて回動駆動された場合、すなわち、回転角θ1 の回動範囲（第二の領域）に入ると、回転移動枠５２は、ヘリコイドネジ（雄）５２ｂがヘリコイドネジ（雌）端面５１ａに当接して繰り出し方向の力を受けるので、ヘリコイドネジ（雄）５２ｂがヘリコイドネジ（雌）５１ｂに螺合する状態となり、回転移動枠５２が光軸Ｏ方向に回転しながら繰り出しを開始する（図２２（Ｂ））。図２２（Ｂ）に示すＨ方向は、回転移動枠５２の展開図上における移動方向を示している。
【０１１２】
なお、直進枠５８の凸部５８ｂ，５８ｃが回転移動枠５２の円周溝５２ｄ，５２ｅに嵌入しているので非回転状態の直進枠５８も回転移動枠５２とともに繰り出される。この繰り出し開始時、すでにレンズバリア３３は図１７に示すように開位置（退避位置）に移動しているのでレンズ鏡筒の繰り出しには支障がない。
【０１１３】
一方、回転移動枠５２の上記回動駆動によりピン状カムフォロア５５b1が回転移動枠５２の直進溝５２ｇ端部の溝壁面５２ｈによって反時計回りの回転力を受け、カム枠５５が回転移動枠５２と一体になって反時計回りに回動を開始する（図２３の回転移動枠５２（Ｐ1  ）の状態）。カム枠５５の反時計回りの回動開始によってカムフォロア５５ａが直進枠５８のカム溝５８ｄのうちの傾斜カム溝部５８ｆ上のカム枠駆動領域を摺動し、カム枠５５の直進枠５８に対する相対的な光軸Ｏ方向への繰り出しが開始される。また、同時にカム枠５５にガイド凸部５５ｃで連結されている移動枠５３も非回転状態で光軸Ｏ方向へ繰り出される。
【０１１４】
なお、カム枠５５の回動開始によりカム溝５５ｄとカムフォロア５４ｃを介して第一群枠５４，フォーカス枠５６がワイド位置に向け、カム枠５５に対する相対的な繰り出しを開始し、また、カム溝５５ｆとカムフォロア５７ｂを介して第二群枠５７がワイド位置に向け、カム枠５５に対する相対的な繰り込みを開始する（図２４）。
【０１１５】
上記カム枠５５の繰り出し開始によってピン状カムフォロア５５b1は、回転移動枠５２の直進溝５２ｇに進入し、同時にピン状カムフォロア５５b0も回転移動枠５２の直進溝５２ｆに進入する。それ以後は、ピン状カムフォロア５５b1と５５b0とが回転移動枠５２の直進溝５２ｇと５２ｆによる回動駆動力を共に受けてカム枠５５が反時計回りに回動され、カムフォロア５５ａが直進枠５８の傾斜カム溝部５８ｆ上を摺動し続ける。
【０１１６】
回転移動枠５２が回転角θ1 の範囲内であって、バリア開／沈胴状態位置Ｐ1 から回転角θａだけ回動し、カム枠５５が繰り出し量Ｓ0 だけ繰り出されたとき（図２３の回転移動枠５２（Ｐ1 〜Ｐ2 ）の状態）、回転移動枠５２の直進溝５２ｇに進入しているピン状カムフォロア５５b1が、直進溝５２ｇの円周溝５２ｅとの交差部分に到達する。そのとき、他の方のピン状カムフォロア５５b0が交差部分のない直進溝５２ｆでガイドされているのでピン状カムフォロア５５b1が直進溝５２ｇから逸脱することなく、正常なカム枠５５の回動、繰り出しが続行される。
【０１１７】
回転移動枠５２が回転角θ1 の範囲（第二の領域）だけ回動し、バリア開／繰り出し終了位置Ｐ2 （言い換えるとワイド位置）に到達すると、回転移動枠５２のヘリコイドネジ５２ｂが固定枠５１のヘリコイドネジ５１との螺合状態を通過して円周挿通部５１ｉに達する（図２２（Ｂ））。回転移動枠５２の外周ギヤ部５２ａも同様に円周挿通部５１ｉに達する。さらに、回転移動枠５２の凸部５２ｃは、固定枠５１の傾斜ガイド溝５１ｃ を通過して円周ガイド溝５１ｄの端部（入り口）に達する。なお、直進枠５８も回転移動枠５２とともに光軸Ｏ方向に繰り出されている。
【０１１８】
一方、カム枠５５のカムフォロア５５ａは、直進枠５８の傾斜カム溝部５８ｆの終端、すなわち、円周カム溝部５８ｅの端部（入り口）に達し（図２３の回転移動枠５２（Ｐ2 ）の状態）、カム枠５５は、直進枠５８に対して（従って、回転移動枠５２に対しても）相対的に繰り出し量Ｓ1 だけ繰り出される。移動枠５３もカム枠５５とともに繰り出される。
【０１１９】
また、図２４のカム溝展開図に示すようにカム枠５５のカム溝に係合しているカムフォロア５４ｃ，５７ｂが回転移動枠５２の回転角θ1 の範囲だけカム溝５５ｄ，５５ｆ上を摺動し、第一群枠５４，フォーカス枠５６がワイド位置までの繰り出され、同時に第二群枠５７がワイド位置まで繰り込まれる。
【０１２０】
カメラ１は、上述したように回転移動枠５２の回転角θ0 （第一の領域）の回動によりレンズバリア３３を開放した後、回転移動枠５２の回転角θ1 （第二の領域）の回動によって各鏡枠部材が進退駆動され、レンズ鏡筒３が沈胴状態から撮影可能な繰り出し状態（ワイド繰り出し状態）にセットされる（図１９）。
【０１２１】
続いて、図２２（Ｃ）に示すように回転移動枠５２がバリア開／繰り出し終了位置Ｐ2 からバリア開／ズーム（テレ端）位置Ｐ3 に向けてさらに回転角θ2 の範囲（第三の領域）を回動駆動された場合、回転移動枠５２の凸部５２ｃは、固定枠５１の円周ガイド溝５１ｄに進入し、ガタのない状態で摺動移動する。また、ヘリコイドネジ５２ｂおよび外周ギヤ部５２ａは、固定枠５１の円周挿通部５１ｉ中を移動する。
【０１２２】
回転移動枠５２が上述のように固定枠５１上の円周ガイド溝５１ｄに沿ってガイドされて回動した場合、回転移動枠５２は、光軸Ｏ方向に進退移動することなく回動する。直進枠５８も回転移動枠５２とともに光軸Ｏ方向に進退移動することなく保持される。
【０１２３】
一方、カム枠５５は、カムフォロア５５ａが直進枠５８の円周溝５８ｅに進入し、ガタのない状態で摺動移動することから回転移動枠５２とともに直進枠５８に対して進退することなく、言い換えれば、空転領域上を光軸Ｏ方向に進退移動することなく回動する。
【０１２４】
上述したようにカム枠５５が進退しない状態で回転移動枠５２，カム枠５５が回転角θ2 の範囲を回動した場合、図２４に示すように第一群枠５４のカムフォロア５４ｃがカム枠５５のカム溝５５ｄを摺動移動し、ワイド位置からテレ位置への第一群枠５４の進退が行われる。同時に第二群枠５７のカムフォロア５７ｂがカム枠５５のカム溝５５ｆを摺動移動し、ワイド位置からテレ位置への第二群枠５７の進退が行われる。図１８は、レンズ鏡筒３がテレ位置に繰り出された状態を示している。
【０１２５】
上述した撮影可能状態にあるカメラ１をワイド状態から沈胴状態に戻し、さらに、バリア閉状態にする場合は、駆動モータ４１を逆転駆動させ、図２２に示す回転移動枠５２を位置Ｐ2 から位置Ｐ1 まで回転角θ1 だけ時計回りに回動させながら沈胴位置に繰り込むと、他の鏡枠部材も同様に沈胴位置に繰り込まれる。その回動期間中、前述したバリア装置２の駆動リング２４も反時計回りに連動して回動するが、スライダ２７が駆動リング２４の外径部により右方向への移動が規制されているので左方移動位置に留まり、レンズバリア３３は、開状態を維持している。
【０１２６】
さらに、駆動モータ４１を逆転駆動すると、回転移動枠５２が図２２に示すバリ開／沈胴位置Ｐ1 からバリア閉／沈胴位置Ｐ0 まで時計回りに回転角θ0 だけ回動する。同時に駆動リング２４がさらに反時計回りに回動するのでスライダ２７が右方へのスライド移動を開始し、レンズバリア３３が前述した閉位置（保護位置）に移動する。この回転移動枠５２の時計回りの回転角θ0 の回動によりカメラ１は、初期状態であるバリア閉／レンズ鏡筒沈胴状態に戻される。
【０１２７】
上述した本実施形態のカメラ１のバリア装置２においては、レンズバリア３３は、駆動モータ４１によるレンズ鏡筒３の進退駆動用回転移動枠５２の回動駆動に連動して回動される駆動リング２４を介して開閉駆動されるが、レンズバリアの開閉位置への移動をレンズ鏡筒が沈胴状態に保持されている間に行うことによって、レンズバリア３３とレンズ鏡筒３との干渉が防止される。
【０１２８】
また、レンズバリア３３と駆動リング２４との間の駆動機構部としてスライダ２７，バリアレバー２９，移動板３２が配され、バリアレバー２９とスライダ２７との間には、所定の付勢力でチャージされたトーションバネ３１が組み込まれており、通常は、所定のチャージ状態を維持したままバリア開閉駆動が行われる。そして、バリア閉位置到達したときのスライダ２７のオーバーストローク分をトーションバネ３１で吸収することによってレンズバリア３３を確実に閉位置に移動させることができる。
【０１２９】
さらに、バリア閉位置方向への駆動時、レンズバリア３３に不用意に外力が作用した場合は、トーションバネ３１が変形することによってレンズバリア３３が停止し、上記駆動機構部と駆動モータ４１の駆動ギヤ部が保護される。
【０１３０】
また、通常の開閉動作時にトーションバネ３１は、所定のチャージ状態のまま保持され、チャージ量の変化がない。したがって、駆動モータ４１のバリア装置２の駆動のための消費エネルギは、駆動付勢用バネ部材のチャージ量の変化の大きい従来のバリア駆動装置に対してきわめて少なくなる。
【０１３１】
また、上述したバリア装置２は、前本体５と前メタルカバー７の間のスペースにまとめて配置することが可能であり、組立調整も容易になる。また、バリア装置自体は、必ずしも防水構造とする必要がない部材であり、それらの部材を前本体５の外側に配することによって前本体５の防水構造が簡単になる。
【産業上の利用可能性】
【０１３２】
本発明のカメラは、駆動源により駆動される撮影レンズと該駆動源により駆動され撮影レンズの前面部を開閉可能なレンズバリアを有するカメラにおいて、レンズバリア駆動系に過大な負荷が作用せず、また、バリア駆動時の駆動力伝達損失も少ないカメラとして利用が可能である。
【図面の簡単な説明】
【０１３３】
【図１】本発明の一実施形態であるカメラのバリア閉、かつ、レンズ鏡筒沈胴の状態における光軸を含む横断面図である。
【図２】図１のカメラの前カバーおよびレンズバリア，バリア駆動部を含むバリア装置の分解斜視図、
【図３】図１のカメラの前本体，固定枠，駆動ユニットの分解斜視図である。
【図４】図１のカメラのレンズ鏡筒の一部の分解斜視図である。
【図５】図１のカメラのレンズ鏡筒の他の一部の分解斜視図である。
【図６】図１のカメラのバリア装置のバリアキャップを外した状態を前面側から見た斜視図である。
【図７】図６のバリア装置を背面側から見た斜視図である。
【図８】図６のバリア装置の正面図である。
【図９】図６のバリア装置の背面図である。
【図１０】図１のカメラのレンズバリア閉状態で前メタルカバーを外した状態の正面図である。
【図１１】図１のカメラの図１０の状態からさらにバリアキャップを外した状態の正面図である。
【図１２】図１のカメラのレンズバリア開状態における前メタルカバーを外した状態の正面図である。
【図１３】図１２のＡ−Ａ断面図である。
【図１４】図６のバリア装置の一動作状態を示す正面図であり、レンズバリアの閉方向の移動が外力で不用意に阻止されたときの状態を示す。
【図１５】図１のカメラのバリア閉、かつ、レンズ鏡筒沈胴の状態での光軸を含む横断面図である。
【図１６】図１のカメラのバリア閉、かつ、レンズ鏡筒沈胴の状態におけるバリア体／バリアベース当接部分を含む面（光軸より下方の面）の横断面図である。
【図１７】図１のカメラのバリア開でレンズ鏡筒沈胴の状態での光軸を含む横断面図である。
【図１８】図１のカメラのバリア開でレンズ鏡筒テレの状態での光軸を含む横断面図である。
【図１９】図４，５のレンズ鏡筒のワイド状態における光軸を含む縦断面図である。
【図２０】図４，５のレンズ鏡筒のフレア絞りの中央開口部周辺が前方に押し出された状態を示し、
【図２１】図４，５のレンズ鏡筒のフレア絞りの中央開口部周辺が後方に押し出された状態を示す。
【図２２】図４，５のレンズ鏡筒の固定枠の内周面と鏡筒駆動ギヤとの展開図に上記回転移動枠の外周ギヤ部，ヘリコイドネジ（雄），凸部の部分展開図を重ねて示した内周側から見た状態の作動状態展開図であり、図２２（Ａ）は、図１のカメラがバリア閉、レンズ鏡筒沈胴状態にある駆動初期時の上記レンズ鏡筒の状態を示し、図２２（Ｂ）は、図１のカメラがバリア開、レンズ鏡筒沈胴状態、および、レンズ鏡筒繰り出し状態（ワイド状態）にある時のレンズ鏡筒の状態を示し、図２２（Ｃ）は、上記カメラがレンズ鏡筒ワイド状態からテレ状態に変化した時のレンズ鏡筒の状態を示す。
【図２３】図４，５のレンズ鏡筒の回転移動枠の内周部の展開図にカム枠のカムフォロアおよび直進枠のカム溝を重ねて示した内周側から見た作動状態展開図であって、バリア閉／沈胴状態からバリア開／沈胴状態、バリア開／繰り出し初期状態、バリア開／繰り出し終了状態、さらに、バリア開／ズーム状態（テレ状態）を示す図である。
【図２４】図４，５のレンズ鏡筒のカム枠のカムフォロアおよびカム溝を外周から見た展開図である。
【符号の説明】
【０１３４】
３  …レンズ鏡筒（撮影レンズ鏡筒）
５  …前本体（カメラ本体）
２４  …駆動リング
２７  …スライダ（第一の部材）
２９  …バリアレバー（第二の部材）
３１  …トーションバネ（付勢部材）
３３  …レンズバリア
４１  …駆動モータ（駆動源）
代理人      弁理士    伊  藤    進
【図１】
2006154139.tif 000004
【図２】
2006154139.tif 000005
【図３】
2006154139.tif 000006
【図４】
2006154139.tif 000007
【図５】
2006154139.tif 000008
【図６】
2006154139.tif 000009
【図７】
2006154139.tif 000010
【図８】
2006154139.tif 000011
【図９】
2006154139.tif 000012
【図１０】
2006154139.tif 000013
【図１１】
2006154139.tif 000014
【図１２】
2006154139.tif 000015
【図１３】
2006154139.tif 000016
【図１４】
2006154139.tif 000017
【図１５】
2006154139.tif 000018
【図１６】
2006154139.tif 000019
【図１７】
2006154139.tif 000020
【図１８】
2006154139.tif 000021
【図１９】
2006154139.tif 000022
【図２０】
2006154139.tif 000023
【図２１】
2006154139.tif 000024
【図２２】
2006154139.tif 000025
【図２３】
2006154139.tif 000026
【図２４】
2006154139.tif 000027